(57)【要約】【課題】  着用者の手関節の安定性を向上して、スポーツ時の着用者の動作を補助することができる手関節サポーターを提供する。【解決手段】  手関節サポーター１０は、着用者の前腕に当該筒状編地を締着させる第１のアンカー部２と、着用者の手の第１指２１を挿通させ、当該第１指２１の基節骨２１ｂに対応する部分を周回する第２のアンカー部３と、第１のアンカー部２及び第２のアンカー部３間に編成され、着用者の手掌側の第２のアンカー部３から、着用者の手背側を経由して、着用者の豆状骨２６に対応する部分を通り、着用者の手掌側を経由して、着用者の手掌側の第１のアンカー部２まで延在する、螺旋状の編地からなる第１の支持部４と、筒状編地のうち第１のアンカー部２、第２のアンカー部３及び第１の支持部４を除く編地であり、当該編地の伸縮抵抗が第１の支持部４の伸縮抵抗よりも小さいベース生地部１と、を備える。【選択図】        図１
2013104139.tif 000002
【特許請求の範囲】
【請求項１】
筒状編地からなり、着用者の体表に密着して手関節を補助する手関節サポーターにおいて、
前記筒状編地の一端を周回して編成され、前記着用者の前腕に当該筒状編地を締着させる第１のアンカー部と、
前記筒状編地の他端の一側を突出させ、当該突出させた部分に前記着用者の手の第１指を挿通させる小筒体を形成し、当該小筒体により前記第１指の基節骨に対応する部分を周回する第２のアンカー部と、
前記筒状編地における前記第１のアンカー部及び第２のアンカー部間に編成され、前記着用者の手掌側の前記第２のアンカー部から、前記着用者の手背側を経由して、前記着用者の豆状骨に対応する部分を通り、前記着用者の手掌側を経由して、前記着用者の手掌側の前記第１のアンカー部まで延在する、編地からなる第１の支持部と、
前記筒状編地のうち前記第１のアンカー部、第２のアンカー部及び第１の支持部を除く編地であり、当該編地の伸縮抵抗が前記第１の支持部の伸縮抵抗よりも小さいベース生地部と、
を備えることを特徴とする手関節サポーター。
【請求項２】
前記請求項１に記載の手関節サポーターにおいて、
前記第１の支持部が、螺旋状の編地からなることを特徴とする手関節サポーター。
【請求項３】
前記請求項１又は２に記載の手関節サポーターにおいて、
前記第１の支持部は、前記筒状編地の長さ方向の伸縮抵抗が前記筒状編地の周方向の伸縮抵抗よりも大きいことを特徴とする手関節サポーター。
【請求項４】
前記請求項１乃至３のいずれかに記載の手関節サポーターにおいて、
前記着用者の手の第２指、第３指、第４指及び第５指を挿通させ、当該第１指、第２指、第３指、第４指及び第５指の手根中手関節に対応する部分並びに前記着用者の第１中手骨及び第２中手骨間に対応する部分を周回し、前記筒状編地の他端となる縁端部を備えることを特徴とする手関節サポーター。
【請求項５】
前記請求項１乃至４のいずれかに記載の手関節サポーターにおいて、
前記第１のアンカー部の正面及び背面側の略中央に、前記筒状編地の長さ方向の伸縮抵抗が前記筒状編地の周方向の伸縮抵抗よりも大きい第２の支持部を備え、
前記第２の支持部における前記筒状編地の長さ方向の伸縮抵抗が、当該第２の支持部を除く前記第１のアンカー部における前記筒状編地の長さ方向の伸縮抵抗よりも大きいことを特徴とする手関節サポーター。
【請求項６】
前記請求項５に記載の手関節サポーターにおいて、
前記第２の支持部が、前記筒状編地の周方向に沿って延在する領域を複数並設させてなることを特徴とする手関節サポーター。
【発明の詳細な説明】
【技術分野】
【０００１】
この発明は、着用者の体表に密着して手関節を補助する手関節サポーターに関し、特に、着用者の手関節の安定性を向上して、スポーツ時の着用者の動作を補助し、疲労を軽減することができるテーピング機能を具備する手関節サポーターに関するものである。
【背景技術】
【０００２】
従来の手首拘束用サポーターは、略筒状に形成されて周方向及び長手方向のうち少なくとも周方向に伸縮可能であって前腕部の手首近傍から少なくとも第２指から第５指の付け根付近まで覆い得るサポーター本体と、サポーター本体に形成された第１指用開口部と、ポケットに挿入したサポーター本体の第５指側に長手方向に沿って延在する支持体と、を有し、該支持体は、少なくとも装着される前腕部の手首近傍から豆状骨部位を亘って掌の第５指側の側部にまで延在し得るように設けられている（例えば、特許文献１参照）。
【先行技術文献】
【特許文献】
【０００３】
【特許文献１】特開２００５−５４９号公報
【発明の概要】
【発明が解決しようとする課題】
【０００４】
従来の手首拘束用サポーターは、手首に打撲、捻挫、腱鞘炎を発症した場合の保存療法として、手首の動きを拘束するためのサポーターであり、第１指、手の甲及び掌側に支持体を備えない。特に、従来の手首拘束用サポーターは、支持体が、外力又は荷重が付加されたときに撓むものも含まれるが、その撓みによって固定感が失われない程度のものとされ、例えば、合成樹脂、金属、炭素繊維、グラスファイバー、木材等で形成されている。
【０００５】
このため、従来の手首拘束用サポーターは、略筒状のサポーター本体を形成した後に、支持体をサポーター本体に、縫い付け、或いは鋲留め、貼着、粘着等により付設する工程が必要であり、製造工程が複雑であるという課題がある。
【０００６】
この発明は、上述のような課題を解決するためになされたもので、サポーター本体と別体である支持体をサポーター本体に配設する製造工程が不要であると共に、着用者の手関節の安定性を向上して、スポーツ（特に、バスケットボール）時の着用者の動作を補助することができる手関節サポーターを提供することを目的とする。
【課題を解決するための手段】
【０００７】
この発明に係る手関節サポーターにおいては、筒状編地の一端を周回して編成され、着用者の前腕に当該筒状編地を締着させる第１のアンカー部と、筒状編地の他端の一側を突出させ、当該突出させた部分に着用者の手の第１指を挿通させる小筒体を形成し、当該小筒体により第１指の基節骨に対応する部分を周回する第２のアンカー部と、筒状編地における第１のアンカー部及び第２のアンカー部間に編成され、着用者の手掌側の第２のアンカー部から、着用者の手背側を経由して、着用者の豆状骨に対応する部分を通り、着用者の手掌側を経由して、着用者の手掌側の第１のアンカー部まで延在する、編地からなる第１の支持部と、筒状編地のうち第１のアンカー部、第２のアンカー部及び第１の支持部を除く編地であり、当該編地の伸縮抵抗が第１の支持部の伸縮抵抗よりも小さいベース生地部と、を備えるものである。
【発明の効果】
【０００８】
この発明に係る手関節サポーターにおいては、手関節の撓屈及び尺屈並びに背屈及び掌屈の制動を行なうことで、着用者の手関節の安定性を向上して、スポーツ時の着用者の動作を補助し、疲労を軽減することができる。
【図面の簡単な説明】
【０００９】
【図１】（ａ）は第１の実施形態に係る左手用の手関節サポーターの概略構成を示す正面図であり、（ｂ）は図１（ａ）に示す手関節サポーターの背面図であり、（ｃ）は図１（ａ）に示す手関節サポーターの左側面図であり、（ｄ）は図１（ａ）に示す手関節サポーターの右側面図であり、（ｅ）は図１（ａ）に示す手関節サポーターの平面図であり、（ｆ）は図１に示す手関節サポーターの底面図である。
【図２】（ａ）は図１に示す手関節サポーターの着用状態を示す左手の手掌側から見た正面図であり、（ｂ）は図１に示す手関節サポーターの着用状態を示す左手の手背側から見た背面図であり、（ｃ）は図１に示す手関節サポーターの着用状態を示す左手の第１指側から見た左側面図である。
【図３】（ａ）は手の関節及び骨を説明するための説明図であり、（ｂ）は前腕の手掌側の浅在筋肉を説明するための説明図であり、（ｂ）は前腕の手背側の浅在筋肉を説明するための説明図である。
【図４】（ａ）は被験者１のドリブル動作における手関節の背屈及び掌屈の実験結果を示すグラフであり、（ｂ）は被験者２のドリブル動作における手関節の背屈及び掌屈の実験結果を示すグラフである。
【図５】（ａ）は被験者１のドリブル動作における手関節の撓屈及び尺屈の実験結果を示すグラフであり、（ｂ）は被験者２のドリブル動作における手関節の撓屈及び尺屈の実験結果を示すグラフである。
【図６】（ａ）は被験者１のシュート動作における手関節の背屈及び掌屈の実験結果を示すグラフであり、（ｂ）は被験者２のシュート動作における手関節の背屈及び掌屈の実験結果を示すグラフである。
【図７】（ａ）は被験者１のシュート動作における手関節の撓屈及び尺屈の実験結果を示すグラフであり、（ｂ）は被験者２のシュート動作における手関節の撓屈及び尺屈の実験結果を示すグラフである。
【発明を実施するための形態】
【００１０】
（本発明の第１の実施形態）
【００１１】
図１及び図２において、手関節サポーター１０は、靴下編機（例えば、株式会社村田製作所製の編み機種「ラムダアンフィニー（針数：１４４本、シリンダー径：３  １／２インチ、１インチ間の針の本数：３６ゲージ）」）により丸編で編み立てられる筒状編地からなり、着用者の体表に密着して着用者の手関節を補助するサポーターである。
【００１２】
なお、図１及び図２においては、左手用の手関節サポーター１０を図示しているが、右手用の手関節サポーター１０については、左手用の手関節サポーター１０における各部位の位置を対称の位置に変更するだけであり、左手用の手関節サポーター１０と同様であるので、図示を省略する。
【００１３】
手関節サポーター１０は、表糸、裏糸及びゴム糸を編糸とし、平編、リブ編、タック編、浮き編又はパイル編などで編成されてなる編地であるベース生地部１に対して、異なる編み立てを施すことで、テーピング機能などの所望の機能性を具備する。なお、本実施形態に係るベース生地部１は、筒状編地のうち後述する第１のアンカー部２、第２のアンカー部３及び第１の支持部４を除く編地であり、１×１鹿の子により編成してなる編地（以下、鹿の子編地と称す）である。
【００１４】
なお、鹿の子編地とは、コース方向及びウェール方向に、平編とタック（あるコースで編み目を脱出させずに、その後のコースで複数ループを脱出させる組織）とが交互に、又は数コースごとに表れる編地である。このため、ベース生地部１には、平編とタックとを併用することで、編地の表面に隆起や透かし目を作ることができ、鹿の子のような網目柄が表れる。
【００１５】
手関節サポーター１０は、筒状編地の一端１０ａを周回して編成され、着用者の前腕に手関節サポーター１０を締着させる第１のアンカー部２を備える。
【００１６】
この第１のアンカー部２は、手関節サポーター１０（筒状編地）の周方向Ｈにおける伸縮抵抗が、手関節サポーター１０の周方向Ｈにおけるベース生地部１の伸縮抵抗より大きく編成されている。すなわち、素材に伸長を与えない状態から一定の伸長を与えた場合の張力をＦとして、手関節サポーター１０の周方向Ｈにおけるベース生地部１の張力をＦＨ１とし、手関節サポーター１０の周方向Ｈにおける第１のアンカー部２の張力をＦＨ２とした場合に、第１のアンカー部２がベース生地部１と比較して、手関節サポーター１０の周方向Ｈに強い締付力を持つような、ＦＨ２＞ＦＨ１という大小関係を有する。
【００１７】
具体的な編地として、第１のアンカー部２は、鹿の子編地を、手関節サポーター１０の一端１０ａで手関節サポーター１０の内側に折り返してベース生地部１との境界で他の糸（例えば、ウーリーナイロン糸）で縫製した二重の鹿の子編地（以下、二重鹿の子編地と称す）にすることにより、ベース生地部１に対して、手関節サポーター１０の周方向Ｈにおける伸縮抵抗を大きくすることができる。
【００１８】
このように、第１のアンカー部２は、着用者の前腕を周回して編成され、手関節サポーター１０の周方向Ｈにおける伸縮抵抗が、手関節サポーター１０の周方向Ｈにおけるベース生地の伸縮抵抗より大きいことにより、着用者の前腕に手関節サポーター１０を固定し、手関節の背屈（伸展）及び掌屈（屈曲）時における手関節サポーター１０の位置ずれを抑制することができる。また、第１のアンカー部２は、後述する第１の支持部４が連結され、この第１の支持部４のアンカーとしても機能する。
【００１９】
また、手関節サポーター１０は、筒状編地の他端１０ｂの一側を突出させ、当該突出させた部分に着用者の手の第１指（母指、親指）２１を挿通させる小筒体を形成し、当該小筒体により第１指２１の基節骨２１ｂ（図３（ａ）参照）に対応する部分を周回する第２のアンカー部３を備える。
【００２０】
なお、本実施形態に係る第２のアンカー部３は、平編により編成してなる編地（以下、平編地と称す）とし、平編地の縁をマイクロテープ３ａ（非常に細いナイロン糸とポリウレタンとによって織られている織りゴム）で挟み込み縫い付けている（バインダー）。
【００２１】
また、本実施形態に係る第２のアンカー部３は、手関節サポーター１０となる筒状編地に切れ目を入れて裁断縁を筒状編地の内側に折り返してミシンにより縫製されているが、筒状編地を裁断することなく編み立てにより編成してもよい。特に、第２のアンカー部３を構成する縫製部分は、伸縮性の高い縫糸を用い、ミシンの運針数を増やして、柔軟な蛇腹にし、着用者の第１指２１に与える押圧力を緩和させることが好ましい。
【００２２】
この第２のアンカー部３は、着用者の手の第１指２１を挿通することにより、着用者の手関節に対して手関節サポーター１０を位置決めすると共に、手関節サポーター１０の周方向Ｈの回転移動や長さ方向Ｌの平行移動を抑制して位置ずれを防止することができる。また、第２のアンカー部３は、第１の支持部４が連結され、この第１の支持部４のアンカーとしても機能する。
【００２３】
また、手関節サポーター１０は、筒状編地における第１のアンカー部２及び第２のアンカー部３間に編成され、着用者の手掌（手の平）側の第２のアンカー部３から、着用者の手背（手の甲）側を経由して、着用者の豆状骨２６に対応する部分を通り、着用者の手掌側を経由して、着用者の手掌側の第１のアンカー部２まで延在する、螺旋状の編地からなる第１の支持部４を備える。
【００２４】
なお、本実施形態に係る第１の支持部４は、手関節サポーター１０の長さ方向Ｌにおける伸縮抵抗が、手関節サポーター１０の長さ方向Ｌにおけるベース生地部１の伸縮抵抗より大きく編成されている。すなわち、手関節サポーター１０の長さ方向Ｌにおけるベース生地部１の張力をＦＬ１とし、手関節サポーター１０の長さ方向Ｌにおける第１の支持部４の張力をＦＬ４とした場合に、第１の支持部４がベース生地部１と比較して、手関節サポーター１０の長さ方向Ｌに強い締付力を持つような、ＦＬ４＞ＦＬ１という大小関係を有する。
【００２５】
また、本実施形態に係る第１の支持部４は、手関節サポーター１０の長さ方向Ｌにおける伸縮抵抗が、手関節サポーター１０の周方向Ｈにおける伸縮抵抗より大きく編成されている。すなわち、手関節サポーター１０の周方向Ｈにおける第１の支持部４の張力をＦＨ４とした場合に、手関節サポーター１０の周方向Ｈと比較して、手関節サポーター１０の長さ方向Ｌに強い締付力を持つような、ＦＬ４＞ＦＨ４という大小関係を有する。
【００２６】
具体的には、第１の支持部４を、４×２タック編と添え糸編とを併用した編地（以下、タック編・添え糸編地と称す）にすることにより、手関節サポーター１０の周方向Ｈに対して、手関節サポーター１０の長さ方向Ｌにおける伸縮抵抗を大きくすることができると共に、鹿の子編地のベース生地部１に対して、手関節サポーター１０の長さ方向Ｌにおける伸縮抵抗を大きくすることができる。
【００２７】
ここで、タック編地とは、生地を編成するときに、一時ある編み目を作らないで、次のコースを編むときに一緒に編み目を作る編地である。
【００２８】
なお、タック編・添え糸編地では、タック編の地編糸の他に他の編糸（例えば、ウーリーナイロン糸）を添えて給糸することで、手関節サポーター１０の長さ方向Ｌにおける第１の支持部４の伸縮を適度に抑えており、第１の支持部４とベース生地部１との境界において他の編糸をカットしている（カットボス）。
【００２９】
このように、第１の支持部４は、手関節サポーター１０の長さ方向Ｌにおける伸縮抵抗が、手関節サポーター１０の長さ方向Ｌにおけるベース生地の伸縮抵抗より大きく、着用者の手の第１指２１を外転させる方向に力が生じるように螺旋状に編成される。これにより、第１の支持部４は、着用者の無意識のうちに手の第１指２１を外転させ、手掌に対して第１指２１を開いた状態に維持することができる。また、第１の支持部４は、着用者の手関節の撓屈及び尺屈を制限し、手関節の安定性を確保することができると共に、手関節に位置する腱に掛かる負荷を軽減することができる。
【００３０】
特に、バスケットボールの競技又は練習時に手関節サポーター１０を着用することで、第１の支持部４は、シュート時における手関節の前後の動き（背屈、掌屈）及び左右の動き（撓屈、尺屈）の振れを抑制し、手関節を背屈及び内転させる尺側手根伸筋３１（図３（ｃ）参照）、手関節を掌屈及び外転させる撓側手根屈筋３２（図３（ｂ）参照）、並びに、手関節を掌屈及び内転させる尺側手根屈筋３３（図３（ｃ）参照）の作用を補助して、着用者への疲労の蓄積を軽減することができる。
【００３１】
なお、手関節サポーター１０は、着用者の手掌を完全に被覆してしまうと、着用者は手関節サポーター１０の編地を介してボール（特に、バスケットボール）を扱うため、ボールコントロールに悪影響があり、競技又は練習中のプレーの妨げになると共に、編地がボールとの摩擦により破損する恐れがある。
【００３２】
このため、本実施形態に係る手関節サポーター１０は、着用者の手の第２指２２、第３指２３、第４指２４及び第５指２５を挿通させ、当該第１指２１、第２指２２、第３指２３、第４指２４及び第５指２５の手根中手関節２７（図３（ａ）参照）に対応する部分並びに着用者の第１中手骨２１ａ及び第２中手骨２２ａ間（図３（ａ）参照）に対応する部分を周回し、筒状編地の他端１０ｂとなる縁端部５を備える。
【００３３】
これにより、縁端部５を備える手関節サポーター１０は、図２（ａ）に示すように、着用者の手掌の大部分を露出させることになり、着用者の手部におけるボールとの接触面積を確保し、競技又は練習中のプレーの妨げにならず、手関節サポーター１０の破損を防止することができる。
【００３４】
なお、本実施形態に係る縁端部５は、ベース生地部１（鹿の子編地）、第２のアンカー部３（平編地）及び第１の支持部４（タック編地）の縁をマイクロテープ（非常に細いナイロン糸とポリウレタンとによって織られている織りゴム）で挟み込み縫い付けている（バインダー）。
【００３５】
また、本実施形態に係る手関節サポーター１０は、第１のアンカー部２の正面（図１（ａ）参照）及び背面（図１（ｂ）参照）側の略中央に、手関節サポーター１０の長さ方向Ｌの伸縮抵抗が手関節サポーター１０の周方向Ｈの伸縮抵抗よりも大きい第２の支持部２ａを備える。また、第２の支持部２ａは、手関節サポーター１０の長さ方向Ｌの伸縮抵抗が、当該第２の支持部２ａを除く第１のアンカー部２（以下、他の領域２ｂと称す）における手関節サポーター１０の長さ方向Ｌの伸縮抵抗よりも大きく編成されている。
【００３６】
すなわち、手関節サポーター１０の長さ方向Ｌにおける第２の支持部２ａの張力をＦＬ２ａとし、手関節サポーター１０の周方向Ｈにおける第２の支持部２ａの張力をＦＨ２ａとした場合に、手関節サポーター１０の周方向Ｈと比較して、手関節サポーター１０の長さ方向Ｌに強い締付力を持つような、ＦＬ２ａ＞ＦＨ２ｂという大小関係を有する。
また、手関節サポーター１０の長さ方向Ｌにおける他の領域２ｂの張力をＦＬ２ｂとした場合に、第２の支持部２ａが他の領域２ｂと比較して、手関節サポーター１０の長さ方向Ｌに強い締付力を持つような、ＦＬ２ａ＞ＦＬ２ｂ（ＦＬ２）という大小関係を有する。
【００３７】
具体的には、第２の支持部２ａとして、第１のアンカー部２の二重鹿の子編地のうち表地側の鹿の子編地の一部をタック編・添え糸編地にすることにより、手関節サポーター１０の周方向Ｈに対して、手関節サポーター１０の長さ方向Ｌにおける伸縮抵抗を大きくすることができると共に、二重鹿の子編地の第１のアンカー部２（他の領域２ｂ）に対して、手関節サポーター１０の長さ方向Ｌにおける伸縮抵抗を大きくすることができる。
【００３８】
このように、第２の支持部２ａは、第１のアンカー部２の正面及び背面側の略中央に編成され、手関節サポーター１０の長さ方向Ｌの伸縮抵抗が手関節サポーター１０の周方向Ｈの伸縮抵抗よりも大きく、手関節サポーター１０の長さ方向Ｌの伸縮抵抗が、第１のアンカー部２（他の領域２ｂ）における手関節サポーター１０の長さ方向Ｌの伸縮抵抗よりも大きい。これにより、第２の支持部２ａは、着用者の手関節の背屈及び掌屈を制限し、手関節の安定性を確保することができると共に、手関節に位置する腱に掛かる負荷を軽減することができる。
【００３９】
特に、バスケットボールの競技又は練習時に手関節サポーター１０を着用することで、第２の支持部２ａは、手関節の背屈を伴うボールキープから手関節の掌屈（手首の返し）を伴うシュートまでの手首の可動において、手関節の背屈及び掌屈の振れを抑制し、手関節を背屈及び外転させる長撓側手根伸筋３４並びに短撓側手根伸筋３５（図３（ｃ）参照）、並びに、手関節を掌屈及び内転させる尺側手根屈筋３３（図３（ｃ）参照）の作用を補助して、着用者への疲労の蓄積を軽減することができる。
【００４０】
なお、第２の支持部２ａが手関節サポーター１０の長さ方向Ｌにおける第１のアンカー部２を横断すると、第２の支持部２ａによる締付力が強くなりすぎ、手関節の掌屈及び背屈を必要以上に制動する恐れがある。このため、本実施形態に係る第２の支持部２ａは、手関節サポーター１０の周方向Ｈに沿って延在する領域を複数並設させることにより、手関節の掌屈及び背屈の可動域の調整を図っている。
【００４１】
なお、本実施形態においては、鹿の子編、タック編及び平編に用いられる地編糸として、糸の番手が３０／−であり、綿とポリエステルからなる混紡糸（例えば、三山株式会社製「リッチハウス」）である２本掛けの表糸と、糸の番手が３０／７５であり、ポリウレタン弾性糸を軸に長繊維をカバーリングした加工糸（ＦＴＹ：Filament Twisted Yarn）である裏糸と、ポリウレタンの芯糸にポリエステルの巻き糸を巻きつけたカバーリング・ヤーン（例えば、オペロンテックス株式会社製「ＳＴ６７００」）であるゴム糸とを用いているが、この材質に限られるものではない。
【００４２】
例えば、表糸としては、綿、毛(カシミヤ、ラム、アンゴラなど)、絹若しくは麻などの天然繊維、アクリルなどの化学繊維、又は吸汗、速乾若しくは体温調整機能を持つ素材などを、手関節サポーター１０のコスト又は着用者のニーズに合わせて選択することが好ましい。また、裏糸としては、抗菌、防臭又は消臭素材を、手関節サポーター１０のコスト又は着用者のニーズに合わせて選択することが好ましい。
【００４３】
また、タック編・添え糸編地（第１の支持部４、第２の支持部２ａ）におけるウーリーナイロン糸（柄糸）は、糸の番手が１００／２の編み本数２本からなる。
【００４４】
つぎに、本実施形態に係る手関節サポーター１０の作用効果を検証した検証試験について、図４〜図７を用いて説明する。
検証試験では、二人の被験者（健常男性、四肢に既往歴なし）の右手に、右手用の手関節サポーター１０を着用させた場合（以下、着用時と称す）と着用させない場合（以下、非着用時と称す）とにおいて、バスケットボールのドリブル動作及びシュート動作を行なわせ、三次元動作解析により、手関節の背屈及び掌屈並びに撓屈及び尺屈による角度の軌跡を測定した。
【００４５】
なお、三次元動作解析には、ＶＩＣＯＮ社製の３次元動作分析システム「ＶＩＣＯＮ  ＭＸ」を用いた。
【００４６】
図４において、横軸は、所定回数の突きの時間（ドリブル時間：１００％）に対する各突きの時間の割合（百分率）［％］を示しており、縦軸は、ドリブル動作に伴う手関節の角度［°］を示しており、橈骨を基準軸（０°）として、正の領域が手関節の背屈になり、負の領域が手関節の掌屈になる。
【００４７】
また、図４（ａ）においては、突き９回のドリブル動作を、着用時に２度測定（図４（ａ）に示す実線）し、非着用時に１度測定（図４（ａ）に示す破線）した結果を示している。また、図４（ｂ）においては、突き９回のドリブル動作を、着用時に３度測定（図４（ｂ）に示す実線）し、非着用時に２度測定（図４（ｂ）に示す破線）した結果を示している。
【００４８】
図４に示すように、着用時の場合は、非着用時の場合と比較して、振動波形の振幅が小さく、振動中心に対して対称な波形に近づいているため、手関節サポーター１０を着用することで、手関節の背屈及び掌屈の振れを抑制し、ドリブル動作における手首の上下の無駄な動きを減少させ、手関節を効率よく作用させていることがわかる。
【００４９】
図５において、横軸は、所定回数の突きの時間（ドリブル時間：１００％）に対する各突きの時間の割合（百分率）［％］を示しており、縦軸は、ドリブル動作に伴う手関節の角度［°］を示しており、前腕の中央線を基準軸（０°）として、正の領域が手関節の撓屈になり、負の領域が手関節の尺屈になる。
【００５０】
また、図５（ａ）においては、突き９回のドリブル動作を、着用時に２度測定（図５（ａ）に示す実線）し、非着用時に１度測定（図５（ａ）に示す破線）した結果を示している。また、図５（ｂ）においては、突き１８回のドリブル動作を、着用時に３度測定（図５（ｂ）に示す実線）し、非着用時に２度測定（図５（ｂ）に示す破線）した結果を示している。
【００５１】
図５に示すように、着用時の場合は、非着用時の場合と比較して、振動中心に対して対称な波形に近づいており、特に、図５（ｂ）に示す被験者２の着用時の場合は、被験者２の非着用時の場合と比較して、振動波形の振幅が顕著に小さくなっている。このため、手関節サポーター１０を着用することで、手関節の撓屈及び尺屈の振れを抑制し、ドリブル動作における手首の左右の無駄な動きを減少させ、手関節を効率よく作用させていることがわかる。
【００５２】
図６において、横軸は、１回のシュート時間（１００％）に対する経過時間の割合（百分率）［％］を示しており、縦軸は、シュート動作に伴う手関節の角度［°］を示しており、橈骨を基準軸（０°）として、正の領域が手関節の背屈になり、負の領域が手関節の掌屈になる。
【００５３】
また、図６（ａ）においては、シュート動作を、着用時に１度測定（図６（ａ）に示す実線）し、非着用時に２度測定（図６（ａ）に示す破線）した結果を示している。また、図６（ｂ）においては、シュート動作を、着用時に２度測定（図６（ｂ）に示す実線）し、非着用時に１度測定（図６（ｂ）に示す破線）した結果を示している。
【００５４】
図６に示すように、着用時の場合は、非着用時の場合と比較して、顕著な変化が見られないため、手関節サポーター１０を着用することで、シュート動作における手関節の背屈及び掌屈を妨げることなく、非着用時と同様のシュート力を維持することができる。
【００５５】
図７において、横軸は、１回のシュート時間（１００％）に対する経過時間の割合（百分率）［％］を示しており、縦軸は、シュート動作に伴う手関節の角度［°］を示しており、前腕の中央線を基準軸（０°）として、正の領域が手関節の撓屈になり、負の領域が手関節の尺屈になる。
【００５６】
また、図７（ａ）においては、シュート動作を、着用時に１度測定（図７（ａ）に示す実線）し、非着用時に２度測定（図７（ａ）に示す破線）した結果を示している。また、図７（ｂ）においては、シュート動作を、着用時に２度測定（図７（ｂ）に示す実線）し、非着用時に１度測定（図７（ｂ）に示す破線）した結果を示している。
【００５７】
図７に示すように、着用時の場合は、非着用時の場合と比較して、初期状態（０％）の角度に対する正の領域及び負の領域における角度の最大変位が小さくなっているため、手関節サポーター１０を着用することで、手関節の撓屈及び尺屈の振れを抑制し、シュート動作における手首の左右の無駄な動きを減少させ、手関節を効率よく作用させていることがわかる。
【符号の説明】
【００５８】
１      ベース生地部
２      第１のアンカー部
２ａ    第２の支持部
２ｂ    他の領域
３      第２のアンカー部
３ａ    マイクロテープ
４      第１の支持部
５      縁端部
１０    手関節サポーター
１０ａ  一端
１０ｂ  他端
２１    第１指
２１ａ  第１中手骨
２１ｂ  基節骨
２２    第２指
２２ａ  第２中手骨
２３    第３指
２４    第４指
２５    第５指
２６    豆状骨
２７    手根中手関節
３１    尺側手根伸筋
３２    撓側手根屈筋
３３    尺側手根屈筋
３４    長撓側手根伸筋
３５    短撓側手根伸筋
【図１】
2013104139.tif 000003
【図２】
2013104139.tif 000004
【図３】
2013104139.tif 000005
【図４】
2013104139.tif 000006
【図５】
2013104139.tif 000007
【図６】
2013104139.tif 000008
【図７】
2013104139.tif 000009